(57)【特許請求の範囲】
【請求項１】
ヘッドバンドであって、
a. 外面が該ヘッドバンドの外部を形成し、弾性及び360度のグリッターパターンを有する弾性グリッターリボンと、
b. 外面が該ヘッドバンドの内部を形成し、弾性を有するストレッチビロードリボンと、
からなり、
c. 該弾性グリッターリボン及び該ストレッチビロードリボンの弾性が維持されるように、該弾性グリッターリボンが、該ストレッチビロードリボンに取り付けられ、
d. 該弾性グリッターリボン及び該ストレッチビロードリボンの両方の端部が接合されて、該ヘッドバンドが360度の弾性ヘッドバンドに形成され、
e. 該弾性グリッターリボンの該外面が、きらきら光る材料を含み、
f. 該ストレッチビロードリボンの該外面が、グリップ部分を形成するビロード様材料を含み、
g. 該ヘッドバンドの該外部が、該ヘッドバンドに中断のない360度に亘るきらめきを与える該弾性グリッターリボンの該外面を含み、
h. 該ヘッドバンドの該内部が、該ヘッドバンドに中断のない360度のグリップ部分を付与する該グリップ部分を形成する該ストレッチビロードリボンの該外面を含み、かつ
i.  該360度とは、該ヘッドバンドの全外部又は、全内部を取り囲むことをいう、
前記ヘッドバンド。
【請求項２】
前記ヘッドバンドが、0.95 cm (3/8インチ)の幅を有する、請求項1記載のヘッドバンド。
【請求項３】
前記ヘッドバンドが、1.58 cm (5/8インチ)の幅を有する、請求項1記載のヘッドバンド。
【請求項４】
前記弾性グリッターリボンの外部に目に見える縫い目/糸が現れるように、該弾性グリッターリボンが前記ストレッチビロードリボンに取り付けられている、請求項1記載のヘッドバンド。
【請求項５】
前記弾性グリッターリボンの外部に目に見える縫い目/糸が現れないように、該弾性グリッターリボンが前記ストレッチビロードリボンに取り付けられている、請求項1記載のヘッドバンド。
【請求項６】
前記弾性グリッターリボンは、さらに該弾性グリッターリボンに接着されたきらきら光る材料を含む、請求項1記載のヘッドバンド。
【請求項７】
グリップ部分を形成する前記ビロード様材料が、ナイロンとエラストマーからなる、請求項1記載のヘッドバンド。
【請求項８】
前記弾性グリッターリボンと前記ストレッチビロードリボンが同じ色である、請求項1記載のヘッドバンド。
【請求項９】
前記弾性グリッターリボンと前記ストレッチビロードリボンが異なる色である、請求項1記載のヘッドバンド。
【請求項１０】
ヘッドバンドであって、
a. 外面が該ヘッドバンドの外部を形成し、別外面が該ヘッドバンドの内部を形成し、弾性及び360度のグリッターパターンを有する弾性グリッターリボンからなり、
b. 該弾性グリッターリボンの端部が接合されて、該ヘッドバンドが360度の弾性ヘッドバンドに形成され、
c. 該弾性グリッターリボンの該外面が、きらきら光る材料を含み、
d. 該弾性グリッターリボンの該別外面が、グリップ部分を形成するストレッチビロードを含み、
e. 該ヘッドバンドの該外部が、該ヘッドバンドに中断のない360度に亘るきらめきを与える該弾性グリッターリボンの該外面を含み、
f. 該ヘッドバンドの該内部が、該ストレッチビロードを含む該弾性グリッターリボンの該別外面を含み、該ストレッチビロードが、該ヘッドバンドに中断のない360度のグリップ部分を付与する該グリップ部分を形成し、かつ
g.  該360度とは、該ヘッドバンドの全外部又は、全内部を取り囲むことをいう、
前記ヘッドバンド。
【請求項１１】
前記ストレッチビロードが、前記弾性グリッターリボンの別外面全体をカバーする、請求項10記載のヘッドバンド。
【発明の詳細な説明】
【技術分野】
【０００１】
（発明の背景）
（関連出願との相互参照）
本願は、2011年7月28日に米国特許商標局に出願された米国仮特許出願第61/512,696号の優先権を主張するものである。
【０００２】
（連邦政府資金による研究開発の記載）
本願は、連邦政府資金による研究開発の主題ではない。
【０００３】
（共同研究契約の当事者の氏名）
第三者との共同研究契約は存在しない。
【０００４】
（発明の分野）
本発明の実施形態は、一般に、滑り止め及び引っ掛かり防止特性を有する360度のグリッターパターンを備えたヘッドバンドに関する。
【背景技術】
【０００５】
（関連分野の説明）
ヘッドバンドは、毛髪が装着者の視界に入るのを防止することを1つの目的として、スポーツ選手及び長髪の人を含む様々な人々に広く使用されている。ヘッドバンドは、これまで様々なスタイルで見られ、少女及び女性に人気である。
【０００６】
ヘッドバンドは、様々な材料から形成することができる。先行技術のヘッドバンドの設計は、滑る、毛髪が引っ掛かる、又は装着者に頭痛を引き起こす問題がある。一部のヘッドバンドは、硬質材料から形成され、底端部に開口を有する楕円形であり、この端部を装着者の頭部に対して滑らせて両端部を装着者の耳の後に適合させ、耳の後にかかる圧力によってヘッドバンドを所定の位置に固定する。このようなスタイルは、多くの場合、耳の後の接触点で圧力を感じるため、該装着者に不快感を与え得る。別のヘッドバンドは、調整可能であり、このようなヘッドバンドは、快適であると宣伝され、激しい運動中にも使用することができる。このような調整可能なヘッドバンドは、ゴムバンド又は弾性材料を備え得るが、激しい運動中に装着者の頭部から滑り落ちることがある。あるいは、このようなヘッドバンドは、不快を感じるほどきつく頭部に固定され、これにより、装着者に頭痛を引き起こすことがある。
【０００７】
多くの場合、ヘッドバンドのスタイルは、弾性材料からなる環状品の一部を含むラップアラウンド型ヘッドバンドを含み、このようなヘッドバンドは、弾性バンドが装着者の頭部及び毛髪を締め付けるため、弾性バンドからの圧力によって所定の位置に保持される。このようなバンドは、ヘッドバンドとして使用される場合、装着者の頭部の周囲にきつく適合しないと、該装着者の頭部から滑り落ちることが多い。ラップアラウンド型ヘッドバンドは、グリップ特性を有する弾性部分を備えていないと、装着者の頭部から容易に滑り落ちる傾向にある。
【０００８】
あるいは、先行技術の多くのヘッドバンドは、該バンドに「伸縮性」を付与する黒い弾性片を使用し、頭部全体の周りを取り囲む弾性部分を有しておらず、該バンドは中断され、残りの部分は単純な弾性である。このようなヘッドバンドは、「滑り止め」として販売されているが、頭部全体をグリップしないため、まだある程度滑ることがある。このような製品は、弾性の不足により「ヘッドバンド頭痛」を引き起こす。
【０００９】
長期間の装着でも快適性を維持し、激しい運動中も安定性、快適性、及び洗練さを維持する、快適な生地を備えたヘッドバンドの満たされていない要求が引き続き存在する。
【発明の概要】
【課題を解決するための手段】
【００１０】
本発明の実施形態は、一般に、好ましい360度のグリッターパターンを備えた、滑り止め及び引っ掛かり防止特性を有するヘッドバンドに関する。上記の理由から、本発明の実施形態の目的は、先行技術のヘッドバンドよりも優れたグリップを備えた、360度の弾性を有するヘッドバンドを提供することにある。本発明の実施形態の改善されたグリップ及び滑り止めの特徴により、きつ過ぎて「ヘッドバンド頭痛」を引き起こすことなく使用者の頭部の周囲に適合するヘッドバンドが可能となる。加えて、本発明の目的は、装着者の毛髪に引っ掛からない滑り止めヘッドバンドを提供することにある。さらに、本発明の目的は、上記の滑り止め及び引っ掛かり防止の特徴を有すると共に、360度のグリッターパターンを備えた審美的に魅力的なヘッドバンドを提供することにある。
【００１１】
本発明の実施形態は、弾性グリッターリボンを備えたヘッドバンドを含み、該弾性グリッターリボンの上部は、該ヘッドバンドの外部を形成し、該該弾性グリッターリボンは、弾性及び360度のグリッターパターンを有する。該ヘッドバンドは、ストレッチビロードリボンをさらに備え、該ストレッチビロードリボンの底部は、該ヘッドバンドの内部を形成し、該ストレッチビロードリボンは、弾性を有する。弾性グリッターリボンは、ストレッチ縫い付け法（stretch and stitch method）を用いてストレッチビロードリボンに取り付けられ、これにより、該弾性グリッターリボン及び該ストレッチビロードリボンの弾性が維持される。弾性グリッターリボン及びストレッチビロードリボンの両方の端部が接合されて、360度の弾性ヘッドバンドが形成され、該弾性グリッターリボンの上部は、きらきら光る材料を含み、ストレッチビロードリボンの底部は、グリップ部分を形成するビロード様材料を含む。ヘッドバンドの外部は、ヘッドバンドに中断のない360度に亘るきらめきを与える弾性グリッターリボンの上部を含む。ヘッドバンドの内部は、ヘッドバンドに中断のない360度のグリップ部分を付与するグリップ部分を形成するヘッドバンドの底部を含む。
【００１２】
本発明の別の実施形態は、弾性リボンを備えるヘッドバンドに関し、該弾性リボンの上部は、ヘッドバンドの外部を形成し、該弾性リボンは弾性を有する。ヘッドバンドは、ストレッチリボンをさらに備え、該ストレッチリボンの底部は、ヘッドバンドの内部を形成し、該ストレッチリボンは弾性を有する。弾性リボンは、ストレッチ縫い付け法を用いストレッチリボンに取り付けられ、これにより、該弾性リボン及び該ストレッチリボンの弾性が維持される。加えて、弾性リボン及びストレッチリボンの両方の端部が接合されて、該ヘッドバンドが360度の弾性ヘッドバンドに形成される。ストレッチリボンの底部は、グリップ部分を含み、ヘッドバンドの外部は、該ヘッドバンドに中断のない360度に亘る該ヘッドバンドの外部を付与する弾性リボンの上部を含む。ヘッドバンドの内部は、該ヘッドバンドに中断のない360度のグリップ部分を付与する該グリップ部分を形成する該ヘッドバンドの底部を含む。
【００１３】
本発明の実施形態は、弾性グリッターリボンを備えるヘッドバンドをさらに含み、該弾性グリッターリボンの上部は、該ヘッドバンドの外部を形成し、該弾性グリッターリボンの底部は、該ヘッドバンドの内部を形成する。弾性グリッターリボンは、弾性及び360度のグリッターパターンを有する。加えて、弾性グリッターリボンの端部が接合されて、該ヘッドバンドが360度の弾性ヘッドバンドに形成され、該弾性グリッターリボンの上部は、きらきら光る材料を含み、該弾性グリッターリボンの底部は、グリップ部分を形成するシリコーン裏地を含む。さらに、ヘッドバンドの外部は、該ヘッドバンドに中断のない360度に亘るきらめきを与える弾性グリッターリボンの上部を含み、該ヘッドバンドの内部は、シリコーン裏地を含む該弾性グリッターリボンの底部を含み、該シリコーン裏地は、該ヘッドバンドに中断のない360度のグリップ部分を付与する該グリップ部分を形成する。
【図面の簡単な説明】
【００１４】
本発明の実施形態の好ましい特徴が、添付の図面に開示されており、いくつかの図面を通して、同様の参照符号は同様の要素を意味する。
【００１５】
【図１】図1は、外部に360度のグリッターパターンを有するヘッドバンドの第1の実施形態の上面/側面斜視図である。
【００１６】
【図２】図2は、図1に示されている360度のグリッターパターンを有するヘッドバンドの正面図である。
【００１７】
【図３】図3は、図1に示されている360度のグリッターパターンを有するヘッドバンドの後面図である。
【００１８】
【図４】図4は、図1に示されている360度のグリッターパターンを有するヘッドバンドの左側面図である。
【００１９】
【図５】図5は、図1に示されている360度のグリッターパターンを有するヘッドバンドの右側面図である。
【００２０】
【図６】図6は、図1に示されている360度のグリッターパターンを有するヘッドバンドの上面図である。
【００２１】
【図７】図7は、図1に示されている360度のグリッターパターンを有するヘッドバンドの組立分解図であり、ストレッチビロードリボン及び弾性グリッターリボンを示している。
【００２２】
【図８】図8は、360度のグリッターパターンを有するヘッドバンドの断面図である。
【発明を実施するための形態】
【００２３】
（詳細な説明）
ここで、本発明の実施形態を、本発明の好ましい実施形態が示されている添付の図面を参照して以降により詳細に説明する。しかしながら、本発明は、様々な形態で実施することができ、本明細書に説明され、例示される実施形態に限定されるものではないことを理解されたい。むしろ、これらの例示される実施形態は、本開示を完全にし、かつ完成させるため、そして当業者に本発明の範囲を伝えるために説明する。
【００２４】
以下の説明では、各図面を通して、同様の参照符号は、同様又は対応する部分を示す。加えて、以下の説明において、用語、例えば、「上部」、「底部」、「上側」、「下側」、「内部」、及び「外部」などは、便宜上の語であり、限定する用語と解釈するべきものではない。
【００２５】
本発明の実施形態の好ましい特徴は、添付の図面に開示されている。本願に添付される図面は、一般に、好ましい360度のグリッターパターンを備えた、滑り止め及び引っ掛かり防止特性を有するヘッドバンドを示している。特に、本願に添付される図面は、ヘッドバンドを示し、該ヘッドバンドは、その滑り止めの特徴のために装着者の頭部に対するグリップを改善し、ヘッドバンド頭痛を防止し、装着者の毛髪の引っ掛かりを防止するという利点を提供し、かつ好ましい360度のグリッターパターンを有する審美的に魅力的なヘッドバンドを提供すると共に、本明細書に開示される滑り止め及び引っ掛かり防止特性を実現する。
【００２６】
添付の図面に示されているように、本発明の実施形態の360度のグリッターパターンを有する、滑り及び引っ掛かりが防止されたヘッドバンドの設計は、当分野で公知の他のヘッドバンドのような「中断」のない360度に亘るグリッターパターンを有するバンドを含む。本発明のヘッドバンドの設計の特有の特徴の1つは、ヘッドバンドを完全に取り囲むグリッターパターンにある。添付の図面では、グリッターパターンは、ヘッドバンドの外面において全ヘッドバンドを取り囲む黒と白の点として示されている。
【００２７】
本発明の実施形態は、頭痛を引き起こさい、そしてランニング/運動などの最中に経験し得る厳しい条件に耐え得る、滑り及び引っ掛かりが防止されたヘッドバンドを含む。本発明の実施形態のヘッドバンドは、見た目及び実用性の両面で優れている。本発明の実施形態のヘッドバンドの幅は、様々にすることができる。例えば、本発明の一実施形態では、ヘッドバンドの幅は、0.95 cm（3/8インチ）であり、本発明の異なる実施形態では、ヘッドバンドの幅は、1.59 cm（5/8インチ）である。しかしながら、当業者であれば、ヘッドバンドのサイズは、本明細書に具体的に記載されるサイズとは異なっても良く、本発明の実施形態は、特定のサイズ/幅に全く限定されるものではないことを理解されたい。加えて、本発明の実施形態は、様々な色及び色の組み合わせで着色することができる。
【００２８】
図面に示されているように、本発明の実施形態のヘッドバンド1は、ストレッチ縫い付け法を用いてストレッチビロードリボン3に縫い付けられた弾性グリッターリボン2から形成されている。ストレッチ縫い付け法では、両方のリボン2、3が引き伸ばされてから互いに縫い付けられ、これにより、2つのリボンの弾性が維持される。リボンを接合するストレッチ縫い付け法は、最高の信頼性、耐久性、及び見た目を実現する。2つのリボンの接合に標準的な縫い付けが用いられると、2つのリボンの弾性が低下する、又は完全に失われる可能性がある。本発明の一実施形態では、縫い目/糸4が、ヘッドバンド1の外部に見えている。本発明の別の実施形態では、縫い目/糸は、ヘッドバンドの外部からは見えない。
【００２９】
弾性グリッターリボン2は、ストレッチ縫い付け法を用いてストレッチビロードリボン3に縫い付けられ、該弾性グリッターリボン2及びストレッチビロードリボン3の両方の端部が接合されて、「中断」のない360度に亘るグリッター5を有するヘッドバンド1の外部が形成される。弾性グリッターリボン2及びストレッチビロードリボン3の端部の接合は、端部などを互いに縫い付けることによって、又はヘッドバンドを形成する材料の端部を接合する当分野で公知の任意の手段によって行うことができる。
【００３０】
本発明の実施形態では、ヘッドバンド1の外面6は、グリッター5で覆われているため輝いているが、これは、様々な方法で達成することができる。本発明の一実施形態では、グリッター5は、弾性グリッターリボン2に接着される。本発明の他の実施形態では、グリッター5は、弾性グリッターリボン2と一体である。グリッター5は、例えば、細いティンセル様糸の表面で光が反射するとちらちら光って輝く該糸の取り付けによって弾性グリッターリボン2と一体にすることができる。このような糸は、弾性グリッターリボン2に接着されるグリッターとは対照的に、弾性グリッターリボン2に柔らかい感触を付与する。加えて、このようなティンセル様糸は、典型的なグリッター片ほど容易にはヘッドバンドから脱落しない。これは、ヘッドバンド1の装着者が、典型的には、グリッターが装着者の毛髪/体/衣服に付着するのを望まないため、望ましいことである。従って、本発明の一実施形態では、弾性グリッターリボン2は、柔軟できらきら光り、そしてグリッターが脱落しない。弾性グリッターリボン2は、様々な色及び様々なサイズにすることができる。
【００３１】
ストレッチビロードリボン3の底面は、ヘッドバンド1の内面7を形成する。本発明の一実施形態では、ストレッチビロードリボン3の底面は、ベルベット材から形成されている。ベルベットの底面は、装着者の頭部に対する滑り及び引っ掛かり（即ち、毛髪を引っ張ること）を防止する。加えて、ヘッドバンド1のベルベット内面7は、ヘッドバンド頭痛を引き起こさないように装着者の頭部に心地よい感触を与える。ストレッチビロードリボン3のベルベット底面が、本発明の実施形態に存在していないとすると、どのようなシンプルなリボン（弾性または非弾性）も装着者の頭部からすぐに滑り落ちるであろう。これは、ベルベット材が、装着者の頭部に引っ掛かることなく、毛髪をグリップするように機能するためである。これは、運動するときに特に当てはまる。
【００３２】
本発明の一実施形態では、ストレッチビロードリボン3は、華やかな雰囲気のラッシュ（lush）であり、本発明の実施形態のヘッドバンド1に必要な弾性を有する織物である。ストレッチベルベットリボン3は、様々な色及び様々なサイズとすることができる。本発明の一実施形態では、ストレッチビロードリボン3は、約80％のナイロンと約20％のエラストマーから形成される（当業者であれば、この文脈で使用される「約」が「数％ポイントの範囲内」を意味することを理解されよう）。しかしながら、当業者であれば、本発明の実施形態が、弾性グリッターリボン2又はストレッチビロードリボン3のいずれかについて記載される材料に限定されるものではないことを理解されよう。
【００３３】
さらに、本発明の実施形態のヘッドバンド1の弾性特性は、該ヘッドバンド1の適合がきつ過ぎず、かつ該ヘッドバンド1が無制限の柔軟性を有するため、ヘッドバンド頭痛を防止する。本発明の実施形態のヘッドバンド1は、該ヘッドバンド1が装着者の頭部全体を中断なく取り囲むため、該頭部にぴったりする。
【００３４】
本発明の実施形態は、最高の機能性及び最高レベルの見た目を付与する。本発明の他の実施形態では、弾性グリッターリボン2は、限定されるものではないが、様々なテクスチャード加工リボン、織物、及びファスナーを含む弾性リボンに置き換えることができ、これらのテクスチャード加工リボン、織物、及びファスナーは、限定されるものではないが、シークイン、スパンデックス、ポリエステル混合物、ビーズ、シリコーン、トグル、テープ、ボタン、フック、スライダー、ベルクロ、ギンプ、及び/又はパフペイントを含む。
【００３５】
本発明の実施形態は、先行技術のヘッドバンドと比較して改善されている。例えば、多くの同様の先行技術のヘッドバンドは、該ヘッドバンドの360度で伸長するものではなく、該ヘッドバンドは、該ヘッドバンドに「伸長性」を付与するために該ヘッドバンドの後部に黒い弾性片を使用する。加えて、先行技術のヘッドバンドのグリップ部分は、装着者の頭部全体を取り囲まず、該ヘッドバンドは中断され、残りの部分は単純な弾性である。先行技術の殆どのヘッドバンドは、「滑り止め」として販売されているが、グリップがヘッドバンドの周囲全体ではない、従って、装着者の頭部の周囲全体ではないため、まだある程度滑ることがある。このような先行技術のヘッドバンドは、その弾性の不足によりヘッドバンド頭痛を引き起こす。
【００３６】
本発明の代替の実施形態では、ストレッチビロードリボン3は、ストレッチシリコーン裏地で代替される。本発明の一実施形態では、ストレッチシリコーン裏地は、その底面（使用中に装着者の頭部に接触する表面）にシリコーンが設けられた弾性バンドである。
【００３７】
本発明の別の実施形態では、ストレッチビロードリボン3を完全に排除し、シリコーン裏地を、弾性グリッターリボン2に直接取り付ける。シリコーン裏地は、弾性グリッターリボン2の裏全体をカバーしても良いし、又は弾性グリッターリボン2の裏の一部分のみに設けても良い。例えば、シリコーン裏地は、リボンの真中のシリコーンストリップのみとしても良い。
【００３８】
上記のように、本発明の実施形態は、様々な色及び/又は色の組み合わせで製造することができる。例えば、本発明の一実施形態では、弾性グリッターリボン2及びストレッチビロードリボン3は、色を合わせることができ、そして別の実施形態では、これらを異なる色にすることができる。
【００３９】
本発明の別の実施形態では、弾性グリッターリボン2は、グリッターを含まない弾性リボンで代替される。
【００４０】
本発明の一実施形態では、ヘッドバンドは、無制限の柔軟性を有する。
【００４１】
本発明の実施形態は、男女にかかわらず全ての年齢で使用されることを意図している。本発明の実施形態は、全体的な快適さを得るために、又はファッションアイテムとして運動中に使用することができる。本発明の実施形態は、毛髪が装着者の顔/眼にかからないようにする装置として、汗止めバンドとして、又は個人がヘッドバンドを身に着け得る別の目的のために使用することができる。
【００４２】
当業者であれば、本発明の実施形態のヘッドバンド1は、好ましくは、人間のヘッドバンドとして使用するのに適しているが、他の代替の使用も存在し得ることを理解されよう。例えば、本発明の実施形態のヘッドバンド1は、動物、例えば、イヌ又はネコ用の紐又は首輪として使用することができる。
【００４３】
図8は、本発明の一実施形態によるヘッドバンド1の断面図を示している。図8に示されているように、弾性グリッターリボン2及びストレッチビロードリボン3は、少なくとも2つの層を備え、該弾性グリッターリボン2の外層が、ヘッドバンドの外面6に対応し、該ストレッチビロードリボン3の外層が、該ヘッドバンド1の内面7に対応する。弾性グリッターリボン2の外層は、本発明の一実施形態では、ヘッドバンド1の全外面6を取り囲むグリッター5を備えている。ストレッチビロードリボン3の外層は、本発明の一実施形態では、ヘッドバンド1の全内面7を取り囲むビロード様材料8を含む。弾性グリッターリボン2の内層は、本発明の一実施形態では、該弾性グリッターリボン2が弾性特性を有するように弾性材料9などを含む。同様に、ストレッチビロードリボン3の内層は、本発明の一実施形態では、ストレッチビロードリボン3が弾性特性を有するように弾性材料10などを含む。
【図１】
0006002767.tif 000002
【図２】
0006002767.tif 000003
【図３】
0006002767.tif 000004
【図４】
0006002767.tif 000005
【図５】
0006002767.tif 000006
【図６】
0006002767.tif 000007
【図７】
0006002767.tif 000008
【図８】
0006002767.tif 000009